(57)【要約】      （修正有）【課題】複数の記録された用紙を束ねて用紙束の冊子を製本する製本システムを提供する。【解決手段】製本装置１０は、冊子を製本する製本部１１と、製本情報に基づき製本部１１を制御する製本制御部１２と、製本情報を設定する製本装置側製本情報設定部１３を備え、用紙搬送装置２０は、記録された用紙を１枚ずつ搬送する搬送部２１と、製本情報に基づき搬送部２１を制御する搬送制御部２２と、製本情報を設定する用紙搬送装置側製本情報設定部２３を備え、製本装置と用紙搬送装置は、相互に通信可能であり、製本装置側製本情報設定部または用紙搬送装置側製本情報設定部において設定された製本情報に基づいて、用紙搬送装置から記録された用紙を１枚ずつ製本装置へ搬送し、製本装置で記録された用紙を束ねて製本する。【選択図】図２
2016210172.tif 000002
【特許請求の範囲】
【請求項１】
複数の記録された用紙を束ねて用紙束の冊子に製本する製本装置と、記録された用紙を１枚ずつ前記製本装置へ搬送する用紙搬送装置を備え、
前記製本装置は、冊子を製本する製本部と、製本情報に基づき前記製本部を制御する製本制御部と、製本情報を設定する製本装置側製本情報設定部を備え、
前記用紙搬送装置は、記録された用紙を１枚ずつ搬送する搬送部と、製本情報に基づき前記搬送部を制御する搬送制御部と、製本情報を設定する用紙搬送装置側製本情報設定部を備え、
前記製本装置と前記用紙搬送装置は、相互に通信可能であり、
前記製本装置側製本情報設定部または前記用紙搬送装置側製本情報設定部において設定された製本情報に基づいて、
前記用紙搬送装置から記録された用紙を１枚ずつ前記製本装置へ搬送し、前記製本装置で記録された用紙を束ねて製本することを特徴とする製本システム。
【請求項２】
前記製本情報は、製本冊子数と製本で束ねる用紙枚数を含むことを特徴とする請求項１に記載の製本システム。
【請求項３】
前記用紙搬送装置は、記録された用紙に付された製本情報を読み取る読取手段を備え、
前記読取手段において得られる製本情報を前記製本装置に通信し、
前記用紙搬送装置から記録された用紙を１枚ずつ前記製本装置へ搬送し、前記製本装置で用紙束に製本することを特徴とする請求項１または請求項２に記載の製本システム。
【請求項４】
前記用紙搬送装置は、記録された用紙の記録状態を認識する記録状態認識手段を備え、
前記記録状態認識手段により認識される記録状態が不良の場合は、
前記用紙搬送装置の搬送を停止すると共に、前記製本装置の製本を停止することを特徴とする請求項１乃至請求項３のいずれか１項に記載の製本システム。
【請求項５】
前記用紙搬送装置は、
搬送する用紙の表面と裏面とに反転する用紙反転部を備え、
製本情報に基づいて前記用紙反転部を制御し、
搬送する用紙を反転しないで１枚ずつ前記製本装置へ搬送し、前記製本装置で用紙束に製本し、
または搬送する用紙を反転して１枚ずつ前記製本装置へ搬送し、前記製本装置で用紙束に製本することを特徴とする請求項１乃至請求項３のいずれか１項に記載の製本システム。
【請求項６】
前記搬送部は、
用紙を積載する積載台と、
前記積載台に積載される用紙を１枚ずつ前記用紙搬送装置へ搬送する送出部とを有することを特徴とする請求項１乃至請求項５のいずれか１項に記載の製本システム。
【請求項７】
前記送出部は、積載される用紙を１枚ずつ吸引して送り出す吸引ファンを有することを特徴とする請求項６に記載の製本システム。
【発明の詳細な説明】
【技術分野】
【０００１】
この発明は、複数の記録された用紙を束ねて用紙束の冊子を製本する製本システムに関する。
【背景技術】
【０００２】
従来、複写機、プリンタ、ファクシミリ等の画像形成装置から搬出される複写用紙等の用紙を取り込み、複数の用紙から構成される用紙束と表紙を糊により接着して冊子を作製し、その後、冊子の接着面以外の端面をカッターにより断裁する製本システムが各種提案されており、このような製本システムの一例として特許文献１に記載の技術がある。
【先行技術文献】
【特許文献】
【０００３】
【特許文献１】特開２００５−１０４０６３号公報
【発明の概要】
【発明が解決しようとする課題】
【０００４】
このように、画像形成装置から搬出される用紙を取り込み、複数の記録された用紙を束ねて用紙束の冊子を連続して製本するものがあるが、他機種の画像形成装置で記録された用紙束を用紙搬送装置に積載し、この用紙搬送装置から用紙を製本装置に搬送して製本するようにすると、他機種の画像形成装置において記録された用紙を、効率的に製本装置を利用して短時間に大量に製本することができる。
【０００５】
この発明は、かかる実情に鑑みてなされたもので、効率的に製本装置を利用して短時間に大量に製本することができる製本システムを提供することを目的とする。
【課題を解決するための手段】
【０００６】
前記課題を解決し、かつ目的を達成するために、この発明は、以下のように構成した。
【０００７】
請求項１に記載の発明は、複数の記録された用紙を束ねて用紙束の冊子に製本する製本装置と、記録された用紙を１枚ずつ前記製本装置へ搬送する用紙搬送装置を備え、
前記製本装置は、冊子を製本する製本部と、製本情報に基づき前記製本部を制御する製本制御部と、製本情報を設定する製本装置側製本情報設定部を備え、
前記用紙搬送装置は、記録された用紙を１枚ずつ搬送する搬送部と、製本情報に基づき
前記搬送部を制御する搬送制御部と、製本情報を設定する用紙搬送装置側製本情報設定部を備え、
前記製本装置と前記用紙搬送装置は、相互に通信可能であり、
前記製本装置側製本情報設定部または前記用紙搬送装置製本側情報設定部において設定された製本情報に基づいて、
前記用紙搬送装置から記録された用紙を１枚ずつ前記製本装置へ搬送し、前記製本装置で記録された用紙を束ねて製本することを特徴とする製本システムである。
【０００８】
請求項２に記載の発明は、前記製本情報は、製本冊子数と製本で束ねる用紙枚数を含むことを特徴とする請求項１に記載の製本システムである。
【０００９】
請求項３に記載の発明は、前記用紙搬送装置は、記録された用紙に付された製本情報を読み取る読取手段を備え、
前記読取手段において得られる製本情報を前記製本装置に通信し、  前記用紙搬送装置から記録された用紙を１枚ずつ前記製本装置へ搬送し、前記製本装置で用紙束に製本することを特徴とする請求項１または請求項２に記載の製本システムである。
【００１０】
請求項４に記載の発明は、前記用紙搬送装置は、記録された用紙の記録状態を認識する記録状態認識手段を備え、
前記記録状態認識手段により認識される記録状態が不良の場合は、
前記用紙搬送装置の搬送を停止すると共に、前記製本装置の製本を停止することを特徴とする請求項１乃至請求項３のいずれか１項に記載の製本システムである。
【００１１】
請求項５に記載の発明は、前記用紙搬送装置は、
搬送する用紙の表面と裏面とに反転する用紙反転部を備え、
製本情報に基づいて前記用紙反転部を制御し、
搬送する用紙を反転しないで１枚ずつ前記製本装置へ搬送し、前記製本装置で用紙束に製本し、
または搬送する用紙を反転して１枚ずつ前記製本装置へ搬送し、前記製本装置で用紙束に製本することを特徴とする請求項１乃至請求項３のいずれか１項に記載の製本システムである。
【００１２】
請求項６に記載の発明は、前記搬送部は、
用紙を積載する積載台と、
前記積載台に積載される用紙を１枚ずつ前記用紙搬送装置へ搬送する送出部とを有することを特徴とする請求項１乃至請求項５のいずれか１項に記載の製本システムである。
【００１３】
請求項７に記載の発明は、前記送出部は、積載される用紙を１枚ずつ吸引して送り出す吸引ファンを有することを特徴とする請求項６に記載の製本システムである。
【発明の効果】
【００１４】
前記構成により、この発明は、以下のような効果を有する。
【００１５】
請求項１に記載の発明では、製本装置と用紙搬送装置は、相互に通信可能であり、製本装置側製本情報設定部または用紙搬送装置側製本情報設定部において設定された製本情報に基づいて、用紙搬送装置から記録された用紙を１枚ずつ製本装置へ搬送し、製本装置で記録された用紙を束ねて用紙束に製本することで、他機種のプリントシステムなどにおいて記録された用紙を、製本装置を用いて短時間に大量に製本することができる。
【００１６】
請求項２に記載の発明では、製本情報は、製本冊子数と製本で束ねる用紙枚数を含むことで、製本装置と用紙搬送装置とで相互に通信して所定数の冊子を製本することができる。
【００１７】
請求項３に記載の発明では、用紙搬送装置に備えられる読取手段において記録された用紙に付された製本情報を読み取り、この製本情報を製本装置に通信し、用紙搬送装置から記録された用紙を１枚ずつ製本装置へ搬送し、製本装置で用紙束に製本することで、自動的に製本動作を行うことができる。
【００１８】
請求項４に記載の発明では、記録状態認識手段により認識される記録状態が不良の場合は、用紙搬送装置の搬送を停止すると共に、製本装置の製本を停止することで、システムの自動停止が可能である。
【００１９】
請求項５に記載の発明では、製本情報に基づいて用紙反転部を制御し、搬送する用紙を反転しないで１枚ずつ製本装置へ搬送し、製本装置で用紙束に製本し、または搬送する用紙を反転して１枚ずつ製本装置へ搬送し、製本装置で用紙束に製本することで、製本装置側からの製本情報に基づいて用紙を搬送して製本することができる。
【００２０】
請求項６に記載の発明では、搬送部は、用紙を積載する積載台と、積載台に積載される用紙を１枚ずつ用紙搬送装置へ搬送する送出部とを有し、確実に積載台に積載される用紙を１枚ずつ吸引して送り出すことができる。
【００２１】
請求項７に記載の発明では、送出部は、積載される用紙を１枚ずつ吸引して送り出す吸引ファンを有し、吸引ファンによる簡単な構造で、積載される用紙を１枚ずつ吸引して送り出すことができる。
【図面の簡単な説明】
【００２２】
【図１】製本システムの概略構成を示す図である。
【図２】小型の用紙搬送装置と製本装置を連結した図である。
【図３】大型の用紙搬送装置と製本装置を連結した図である。
【図４】小型の用紙搬送装置の構成を示す図である。
【図５】小型の用紙搬送装置の動作を示す図である。
【図６】他の実施の形態の小型の用紙搬送装置の構成を示す図である。
【図７】反転機構を備える用紙搬送装置の構成を示す図である。
【図８】製本システムの構成を示すブロック図である。
【図９】自動製本を説明する図である。
【図１０】印字チェック機能を説明する図である。
【図１１】用紙反転機能を説明する図である。
【図１２】用紙反転機能を説明する図である。
【発明を実施するための形態】
【００２３】
以下、この発明の製本システムの実施の形態について説明する。この発明の実施の形態は、発明の最も好ましい形態を示すものであり、この発明はこれに限定されない。
【００２４】
（製本システムの概略構成）
図１は製本システムの概略構成を示す図、図２は小型の用紙搬送装置と製本装置を連結した図、図３は大型の用紙搬送装置と製本装置を連結した図である。
【００２５】
この実施の形態の製本システム１は、図１に示すように、製本装置１０に、小型の用紙搬送装置２０または大型の用紙搬送装置３０を連結して構成される。他機種のプリントシステムＡ、Ｂにおいて記録された用紙Ｐは、カートトレイＫによって小型の用紙搬送装置２０または大型の用紙搬送装置３０に運ばれ、小型の用紙搬送装置２０または大型の用紙搬送装置３０から用紙Ｐを１枚ずつ製本装置３０へ搬送する。なお、記録された用紙Ｐを小型の用紙搬送装置２０に運ぶ場合には、カートトレイＫを用いてもよいし、手で持ち運んでもよい。
【００２６】
製本装置１０では、複数の記録された用紙を束ねて用紙束の冊子Ｇに製本する。この製本は、例えば用紙束と表紙を糊により接着し、あるは接着テープにより接着するが、表紙を用いないで用紙束を接着してもよい。
【００２７】
［製本装置の構成］
製本装置１０は、図２及び図３に示すように、冊子を製本する製本部１１と、製本情報に基づき製本部１１を制御する製本制御部１２と、製本情報を設定する製本装置側製本情報設定部１３を備える。
【００２８】
製本部１１は、用紙をバインディングするためのバインダー１１ａと、バインディング処理する前まで積載する用紙を待機させるコンパイラー１１ｂと、コンパイラー１１ｂなどに用紙を移送させる用紙移送路１１ｃと、バインディングが完了した用紙を外部で排出して積載するスタッカー１１ｄなどを備え、複数の記録された用紙を束ねて用紙束の冊子に製本する。
【００２９】
［小型の用紙搬送装置の構成］
小型の用紙搬送装置２０は、図２及び図４に示すように、下部にキャスター９１を備えて自由に移動可能になっている。この用紙搬送装置２０は、記録された用紙Ｐを１枚ずつ搬送する搬送部２１と、製本情報に基づき搬送部２１を制御する搬送制御部２２と、製本情報を設定する用紙搬送装置側製本情報設定部２３を備える。
【００３０】
搬送部２１は、上下２段に配置された積載台９２ａ，９２ｂと、積載台９２ａ，９２ｂに積載される用紙を１枚ずつ搬送する送出部９３を有する。送出部９３は、上側吸引部９３ａ１，上側搬送路９３ａ２，下側吸引部９３ｂ１，下側搬送路９３ｂ２及び集合送り部９３ｃを有する。上側吸引部９３ａ１は、吸気を吸引することで積載台９２ａに積載される用紙を吸引して上側搬送路９３ａ２へ送り出すように構成される。同様に、下側吸引部９３ｂ１は、吸気を吸引することで積載台９２ｂに積載される用紙を吸引して下側搬送路９３ｂ２へ送り出すように構成される。
【００３１】
上側吸引部９３ａ１及び下側吸引部９３ｂ１は、積載台９２ａ，９２ｂに積載される用紙を１枚ずつ吸引して送り出す吸引ファン９３ａ１１，９３ｂ１１と送り出しベルト９３ａ１２，９３ｂ１２を有し、吸引ファン９３ａ１１，９３ｂ１１により用紙を吸引し、送り出しベルト９３ａ１２，９３ｂ１２に保持させ、送り出しベルト９３ａ１２，９３ｂ１２の駆動により送り出す構成であり、簡単な構造で、確実に積載台９２ａ，９２ｂに積載される用紙を１枚ずつ吸引して送り出すことができる。上側搬送路９３ａ２及び下側搬送路９３ｂ２は、搬送ローラ、搬送ガイドなどで構成され、送り出し部９３ｃも同様に搬送ローラ、搬送ガイドなどで構成される。
【００３２】
この実施の形態では、上下２段に積載台９２ａ，９２ｂを設けているが、集合送り部９３ｃの上方に積載台を複数個設けてもよいし、また下方に積載台を複数個設けてもよい。また、搬送部９３では、上側吸引部９３ａ１と、下側吸引部９３ｂ１に用紙Ｐを吸引する構成を用いているが、送り出しローラ機構で積載台の用紙を１枚ずつ送り出すようにしてもよい。
【００３３】
小型の用紙搬送装置２０は、図５（ａ）に示すように、上側吸引部９３ａ１が駆動して積載９２ａに積載される用紙を１枚ずつ上側搬送路９３ａ２へ送り出し、用紙は上側搬送路９３ａ２により搬送されて集合送り部９３ｃを介して用紙搬送装置に搬送される。積載台９２ａに積載された用紙の搬送が終了すると、図５（ｂ）に示すように、下側吸引部９３ｂ１が駆動して積載台９２ｂに積載される用紙を１枚ずつ下側搬送路９３ｂ２へ送り出し、用紙は下側搬送路９３ｂ２により搬送されて集合送り部９３ｃを介して用紙搬送装置に搬送される。
【００３４】
［第２の実施の形態の小型の用紙搬送装置の構成］
この実施の形態の小型の用紙搬送装置２０は、図６に示すように構成され、第１の実施の形態と同じ構成は同じ符号を付して説明を省略する。この実施の形態の上側吸引部９３ａ１及び下側吸引部９３ｂ１は、吸引ファン９３ａ１１，９３ｂ１１と、送り出しベルト９３ａ１２，９３ｂ１２と、カバー９３ａ１３，９３ｂ１３を有する。カバー９３ａ１３は、吸引ファン９３ａ１１と送り出しベルト９３ａ１２を覆い、下方開口部９３ａ１３１と上方開口部９３ａ１３２を有する。吸引ファン９３ａ１１の駆動により下方の下方開口部９３ａ１３１から空気を吸引して上方の上方開口部９３ａ１３２へ逃がし、積載台９２ａに積載される用紙を送り出しベルト９３ａ１２に保持させ、送り出しベルト９３ａ１２の駆動により送り出す構成である。
【００３５】
カバー９３ｂ１３は、吸引ファン９３ｂ１１と送り出しベルト９３ｂ１２を覆い、下方開口部９３ｂ１３１と上方開口部９３ｂ１３２を有する。吸引ファン９３ｂ１１の駆動により下方の下方開口部９３ｂ１３１から空気を吸引して上方の上方開口部９３ｂ１３２へ逃がし、積載台９２ｂに積載される用紙を送り出しベルト９３ｂ１２に保持させ、送り出しベルト９３ｂ１２の駆動により送り出す構成である。
【００３６】
この実施の形態の小型の用紙搬送装置２０は、用紙検出センサＳ１，Ｓ２を有し、用紙検出センサＳ１，Ｓ２から得られる用紙検出情報に基づいて制御装置１００が上側吸引部９３ａ１及び下側吸引部９３ｂ１を制御するようになっている。例えば、上側吸引部９３ａ１の駆動によって積載台９２ａに積載される用紙を１枚ずつ搬送し、用紙検出センサＳ１が用紙の送り出し終了を検出すると、この検出情報に基づいて上側吸引部９３ａ１の駆動と停止すると共に、下側吸引部９３ｂ１を駆動し、下側吸引部９３ｂ１の駆動によって積載台９２ｂに積載される用紙を１枚ずつ搬送し、用紙検出センサＳ２が用紙の送り出し終了を検出すると、下側吸引部９３ｂ１の駆動と停止する。
【００３７】
［大型の用紙搬送装置の構成］
大型の用紙搬送装置３０は、図３に示すように、製本情報に基づき搬送部を制御する搬送制御部３２と、製本情報を設定する用紙搬送装置側製本情報設定部３３を備え、さらに小型の用紙搬送装置２０と同様に、搬送部、用紙反転部、記録状態認識手段、頁読取手段などが備えられ、同様に構成されるから説明を省略する。
【００３８】
この大型の用紙搬送装置３０では、他機種のプリントシステムＡ、Ｂにおいて記録された用紙ＰがカートトレイＫによって運ばれ、用紙ＰがカートトレイＫに積載された状態で大型の用紙搬送装置３０の中にセットされ、カートトレイＫに積載された用紙を１枚ずつ製本装置１０へ搬送する。なお、カートトレイＫから用紙Ｐを搬送部へ移し変えて積載して製本装置１０へ搬送するようにしてもよい。
［反転機構を備える用紙搬送装置の構成］
この実施の形態の用紙搬送装置２０は、図７に示すように、記録された用紙を１枚ずつ搬送する搬送部２１と、搬送する用紙の表面と裏面とに反転する用紙反転部４０と、記録された用紙の記録状態を認識する記録状態認識手段５０と、搬送する用紙の表面と裏面の頁を読み取る頁読取手段６０と、製本情報に基づき搬送部２１を制御する搬送制御部２２と、製本情報を設定する用紙搬送装置側製本情報設定部２３を備える。
【００３９】
搬送部２１は、積載された用紙を搬送位置に送るための昇降台２１ａと、用紙を送り出すための送り出しローラ２１ｂ、搬送ローラ２１ｃなどを備え、記録された用紙を１枚ずつ製本装置１０へ搬送する。用紙反転部４０は、反転羽根４０ａと、反転ローラ４０ｂを備える。搬送制御部２２は、用紙反転部４０を制御し、搬送する用紙を反転しない場合には、反転羽根４０ａは作動しないで、搬送ローラ２１ｃにより用紙を１枚ずつ製本装置１０へ搬送する。搬送する用紙を反転する場合には、反転羽根４０ａが作動し、反転ローラ４０ｂへ送られて反転され、反転羽根４０ａを介して反転した用紙を搬送ローラ２１ｃにより１枚ずつ製本装置１０へ搬送する。
【００４０】
（製本システムの構成）
図８は製本システムの構成を示すブロック図である。製本システム１は、複数の記録された用紙を束ねて用紙束の冊子に製本する製本装置１０と、記録された用紙を１枚ずつ製本装置１０へ搬送する小型の用紙搬送装置２０または大型の用紙搬送装置３０を備えるが、小型の用紙搬送装置２０と大型の用紙搬送装置３０は用紙の積載枚数が異なるだけで同じ基本構成であるから用紙搬送装置２０として説明する。
【００４１】
製本装置１０と用紙搬送装置２０は、それぞれ通信部１４，２４を備え、通信部１４，２４により情報を相互に通信可能であり、製本装置側製本情報設定部１３または用紙搬送装置側製本情報設定部２３において設定された製本情報に基づいて、用紙搬送装置２０から記録された用紙を１枚ずつ製本装置１０へ搬送し、製本装置１０で記録された用紙を束ねて用紙束に製本する。
【００４２】
製本情報は、製本冊子数と製本で束ねる用紙枚数を含み、製本装置１０と用紙搬送装置２０とで情報を相互に通信して所定数の冊子に製本することができる。例えば、製本冊子数設定ボタン１３ａと用紙枚数設定ボタン１３ｂを用いて製本装置側製本情報設定部１３に製本冊子数と製本で束ねる用紙枚数を設定し、この製本情報を用紙搬送装置２０へ送信する。用紙搬送装置２０では、送信される製本情報に基づいて搬送制御部２２により搬送部２１を制御し、搬送部２１により記録された用紙を１枚ずつ搬送する。製本装置１０では、製本装置側製本情報設定部１３により設定される製本情報に基づき製本制御部１２により製本部１１を制御して製本する。また、例えば、製本冊子数設定ボタン２３ａと用紙枚数設定ボタン２３ｂを用いて用紙搬送装置側製本情報設定部２３に製本冊子数と製本で束ねる用紙枚数を設定し、この製本情報を製本装置１０へ送信する。用紙搬送装置２０では、製本情報に基づいて搬送制御部２２により搬送部２１を制御し、搬送部２１により記録された用紙を１枚ずつ搬送する。製本装置１０では、製本装置側製本情報設定部１３により送信される製本情報に基づき製本制御部１２により製本部１１を制御して製本する。
【００４３】
このように、製本装置１０と用紙搬送装置２０は、情報を相互に通信可能であり、製本装置側製本情報設定部１３または用紙搬送装置側製本情報設定部２３において設定された製本情報に基づいて、用紙搬送装置２０から記録された用紙を１枚ずつ製本装置１０へ搬送し、製本装置１０で記録された用紙を束ねて用紙束に製本する。したがって、他機種の画像形成装置において記録された用紙を、効率的に製本装置１０を利用して短時間に大量に製本することができる。
【００４４】
［自動製本］
用紙搬送装置２０は、記録された用紙に付された製本情報を読み取る製本情報読取手段８０を備えており、この製本情報読取手段８０において得られる製本情報を製本装置１０に通信し、用紙搬送装置２０から記録された用紙を１枚ずつ製本装置１０へ搬送し、製本装置１０で用紙束に製本する。この製本情報読取手段８０は、図９（ａ）に示すように、例えばバーコード読取センサ８０ａで構成され、このバーコード読取センサ８０ａが用紙Ｐの印刷面のバーコード８１を読み取る。バーコード８１には、製本情報が記録されており、バーコード読取センサ８０ａにおいて得られる製本情報を用紙搬送装置側製本情報設定部２３に送り、通信部２４を介して製本装置１０の通信部１４に送信し、自動的に製本作動を行うことができる。すなわち、バーコード８１には製本冊子数と製本で束ねる用紙枚数が記録されており、バーコード８１が記録されている用紙から１枚ずつ後続の用紙を製本装置１０へ搬送し、製本装置１０ではバーコード８１から得られた製本情報に基づき所定冊子数の製本を行う。
【００４５】
また、例えばバーコード８１に替えて、図９（ｂ）に示すようにＱＲコード（登録商標）８２を用いてもよい。その際、製本情報読取手段８０は対応するリーダーとする必要があることは言うまでもない。例えば、バーコード８１に替えてＱＲコード（登録商標）８２を用いる場合は、バーコード読取センサ８０ａに替えてＱＲコード（登録商標）の読み取りが可能なカメラ機能を有するＱＲコード読取センサ８０ｂを用いる必要がある。
【００４６】
［印字チェック機能］
用紙搬送装置２０は、記録された用紙の記録状態を認識する記録状態認識手段５０を備えており、この記録状態認識手段５０は、図１０に示すように、例えば固体撮像素子５０ａで構成され、この固体撮像素子５０ａが用紙の印刷面の各種チェックを行う。記録状態認識手段５０により認識される記録状態が不良の場合、例えば「ページ狂い」、「印刷ずれ・かすれのＮＧ」等々の不良を検出したら搬送制御部２２に検出情報を送り、搬送制御部２２により搬送部２１を制御し、用紙搬送装置２０の搬送を停止すると共に、通信部２４を介して製本装置１０の通信部１４に送信し、製本制御部１２により製本部１１を制御して製本装置１０の製本を停止する。このように、記録状態認識手段５０により認識される記録状態が不良の場合は、用紙搬送装置２０の搬送を停止すると共に、製本装置１０の製本を自動的に停止し、このシステムの停止をブザーや表示によって警報する。
【００４７】
［用紙反転機能］
製本装置１０及び用紙搬送装置２０には、製本頁順選択ボタン１３ｃ，２３ｃが備えられ、この製本頁順選択ボタン１３ｃ，２３ｃの操作によって製本装置側製本情報設定部１３または用紙搬送装置側製本情報設定部２３に製本頁順が設定され、この設定された製本情報に基づいて用紙反転部４０を制御する。製本頁順には、図１１及び図１２に示すように、先頭頁が下になるタイプ１と先頭頁が上になるタイプ２がある。
【００４８】
図１１は製本頁順がタイプ１の搬送を示す。タイプ１は、下から順に２・１、４・３、６・５、８・７の順に重ねて１頁から８頁に製本する。このタイプ１では、用紙搬送装置２０に積載されている用紙の頁順が下から上に８・７、６・５、４・３、２・１であると、用紙搬送装置２０から搬送する用紙を反転しないで１枚ずつ製本装置１０へ搬送し、製本装置１０で用紙束に製本する（図１１（ａ））。また、例えば、用紙搬送装置２０に積載されている用紙の頁順が下から上に７・８、５・６、３・４、１・２であると、搬送制御部２２は、頁読取手段６０を構成するＣＣＤセンサにより得られる用紙の表面と裏面の頁情報に基づき用紙反転部４０を制御し、反転して１枚ずつ製本装置１０へ搬送し、製本装置１０で用紙束に製本する（図１１（ｂ））。
【００４９】
図１２は製本頁順がタイプ２の搬送を示す。タイプ２は、下から順に７・８、５・６、３・４、１・２の順に重ねて上から順に１頁から８頁に製本する。このタイプ２では、用紙搬送装置２０に積載されている用紙の頁順が下から上に１・２、３・４、５・６、７・８であると、用紙搬送装置２０から搬送する用紙を反転しないで１枚ずつ製本装置１０へ搬送し、製本装置１０で用紙束に製本する（図１２（ａ））。また、例えば、用紙搬送装置２０に積載されている用紙の頁順が下から上に２・１、４・３、６・５、８・７であると、搬送制御部２２は、ＣＣＤセンサにより得られる用紙の表面と裏面の頁情報に基づき用紙反転部４０を制御し、反転して１枚ずつ製本装置１０へ搬送し、製本装置１０で用紙束に製本する（図１２（ｂ））。
【産業上の利用可能性】
【００５０】
この発明は、複数の記録された用紙を束ねて用紙束の冊子に製本する製本システムに適用でき、効率的に製本装置を利用して短時間に大量に製本することができる。
【符号の説明】
【００５１】
Ａ，Ｂ  他機種のプリントシステム
Ｇ  冊子
Ｋ  カートトレイ
Ｓ１，Ｓ２  用紙検出センサ
１  製本システム
１０  製本装置
１１  製本部
１２  製本制御部
１３  製本装置側製本情報設定部
２０  用紙搬送装置
２１  搬送部
２２  搬送制御部
２３  用紙搬送装置側製本情報設定部
３０  用紙搬送装置
３２  搬送制御部
３３  用紙搬送装置側製本情報設定部
４０  用紙反転部
５０  記録状態認識手段
６０  頁読取手段
８０  製本情報読取手段
９２ａ，９２ｂ  積載台
９３  搬送部
９３ａ１  上側吸引部
９３ａ２  上側搬送路
９３ｂ１  下側吸引部
９３ｂ２  下側搬送路
９３ｃ  集合送り部
９３ａ１１，９３ｂ１１  吸引ファン
９３ａ１２，９３ｂ１２  送り出しベルト
９３ａ１３，９３ｂ１３  カバー
１００  制御装置
【図１】
2016210172.tif 000003
【図２】
2016210172.tif 000004
【図３】
2016210172.tif 000005
【図４】
2016210172.tif 000006
【図５】
2016210172.tif 000007
【図６】
2016210172.tif 000008
【図７】
2016210172.tif 000009
【図８】
2016210172.tif 000010
【図９】
2016210172.tif 000011
【図１０】
2016210172.tif 000012
【図１１】
2016210172.tif 000013
【図１２】
2016210172.tif 000014